(57)【特許請求の範囲】
【請求項１】
ヘッドボードと、
フットボードと、
前記ヘッドボードと前記フットボードとの間に取り付けられるものであって開口部を有する引き出しボックス本体部と、
前記開口部に出し入れ可能に収容される引き出しと、
前記ヘッドボードおよび前記フットボードに対し前記引き出しボックス本体部を固定するための部材であって、前記引き出しボックス本体部の前記ヘッドボードに対向する側面および前記フットボードに対向する側面を前記開口部の内側から固定する固定部材と、
前記固定部材により固定される前記引き出しボックス本体部の側面に対向する前記引き出しの側壁部に設けられ、当該側壁部の上面から下方に向かって切り欠かれた切欠き部と、
を備えるベッドフレーム。
【請求項２】
前記切欠き部に着脱可能に取り付けられるキャップ部材をさらに備える請求項１に記載のベッドフレーム。
【請求項３】
前記切欠き部の下方に孔部が設けられており、
前記キャップ部材は、前記切欠き部に取り付けられた状態で前記孔部に係止する突起部を有する請求項２に記載のベッドフレーム。
【発明の詳細な説明】
【技術分野】
【０００１】
本発明の実施形態は、ベッドフレームに関する。
【背景技術】
【０００２】
例えば特許文献１には、就寝者の頭部側に位置するヘッドボードと就寝者の脚側に位置するフットボードとの間に、引き出しボックスを備えたベッドフレームが開示されている。この種の引き出しボックスは、引き出しが出し入れ可能に収容される開口部の内側からボルトによってヘッドボードおよびフットボードに固定される。
【０００３】
引き出しボックスを備えるベッドフレームを組み立てる場合、従来では、引き出しボックス本体部の開口部から引き出しを完全に取り外してから、開口部の内側からボルトを締め付けるようにしている。しかし、近年の引き出しボックスでは、引き出しをスライドさせるためのスライドレールが、例えば３段構造などといった複雑な構造となっている。そのため、引き出しボックス本体部の開口部から引き出しを取り外す作業の難易度が高くなっており、ひいては、ベッドフレーム全体の組み立て作業の難易度が高くなっている。
【先行技術文献】
【特許文献】
【０００４】
【特許文献１】特許第５５７２０１０号公報
【発明の概要】
【発明が解決しようとする課題】
【０００５】
そこで、引き出しを取り外す作業を要することなく引き出しボックスを取り付けることができ、容易に組み立てることができるベッドフレームを提供する。
【課題を解決するための手段】
【０００６】
本実施形態のベッドフレームは、ヘッドボードと、フットボードと、前記ヘッドボードと前記フットボードとの間に取り付けられるものであって開口部を有する引き出しボックス本体部と、前記開口部に出し入れ可能に収容される引き出しと、前記ヘッドボードおよび前記フットボードに対し前記引き出しボックス本体部を固定するための部材であって、前記引き出しボックス本体部の前記ヘッドボードに対向する側面および前記フットボードに対向する側面を前記開口部の内側から固定する固定部材と、前記固定部材により固定される前記引き出しボックス本体部の側面に対向する前記引き出しの側壁部に設けられ、当該側壁部の上面から下方に向かって切り欠かれた切欠き部と、を備える。
【０００７】
この構成によれば、引き出しボックス本体部の開口部から引き出しを完全に取り外さなくとも、引き出しの側壁部に設けられた切欠き部を通して、固定部材による引き出しボックス本体部の固定を行うことができる。即ち、引き出しを取り外す作業を要することなく引き出しボックスを取り付けることができ、ひいては、ベッドフレームを容易に組み立てることができる。
【図面の簡単な説明】
【０００８】
【図１】本実施形態によるベッドフレームの構成例を示す分解斜視図
【図２】引き出しボックス本体部の開口部から引き出しを引き出した状態の一例を示す図
【図３】引き出しの側壁部の構成例を示す図
【図４】キャップ部材の構成例を示す図
【図５】引き出しボックスの取り付け作業の一例を示す図
【図６】変形実施形態による切欠き部の構成例を示す図（その１）
【図７】変形実施形態による切欠き部の構成例を示す図（その２）
【図８】変形実施形態による切欠き部の構成例を示す図（その３）
【図９】変形実施形態による切欠き部の構成例を示す図（その４）
【発明を実施するための形態】
【０００９】
以下、ベッドフレームの一実施形態について図面を参照しながら説明する。図１に例示するベッドフレーム１０は、ヘッドボード２０、フットボード３０、サイドレール４０、引き出しボックス５０を備える。なお、以下の説明では、ベッドフレーム１０が設置面に設置された状態における重力方向を、ベッドフレーム１０の上下方向とする。また、基本的に就寝者の頭部側となるヘッドボード２０側をベッドフレーム１０の奥側とし、基本的に就寝者の脚側となるフットボード３０側をベッドフレーム１０の手前側とする。また、設置面とは、ベッドフレーム１０が設置された際にヘッドボード２０の下面、フットボード３０の下面、サイドレール４０の下面、引き出しボックス５０の下面が接触する面を意味する。
【００１０】
この場合、サイドレール４０は、ベッドフレーム１０の手前側から見て左側の側部を形成する。また、引き出しボックス５０は、ベッドフレーム１０の手前側から見て右側の側部を形成するサイドレールとしての機能も備える。ベッドフレーム１０は、ヘッドボード２０、フットボード３０、サイドレール４０、引き出しボックス５０によって、矩形の枠状に形成されている。ヘッドボード２０は、例えば矩形の板状に形成されており、その板状の面がベッドフレーム１０の設置面に対して略垂直となるように設けられている。なお、ヘッドボード２０は、板状のフラット型に限られるものではなく、例えば、いわゆる宮付型などであってもよい。
【００１１】
ヘッドボード２０は、固定部２０１を有する。固定部２０１は、ヘッドボード２０の下部の左右両側にそれぞれ設けられている。固定部２０１は、それぞれ、複数のねじ孔２０２を有する。この場合、固定部２０１は、３つのねじ孔２０２を上下方向に直線状に配列した構成である。なお、１つの固定部２０１が備えるねじ孔２０２の数は３つに限られず、例えば２つ、あるいは、３つ以上の複数であってもよい。また、ねじ孔２０２間の間隔は、適宜変更して実施することができる。
【００１２】
フットボード３０は、左右方向へ延びる矩形の細長い板状に形成されている。この場合、フットボード３０は、ヘッドボード２０よりも上下方向の寸法が小さくなっている。フットボード３０は、ヘッドボード２０と対向して設けられている。フットボード３０は、ヘッドボード２０側の固定部２０１に対向する固定部３０１を有する。固定部３０１は、ヘッドボード３０の左右両側にそれぞれ設けられている。固定部３０１は、それぞれ、複数のねじ孔３０２を有する。この場合、固定部３０１は、３つのねじ孔３０２を上下方向に直線状に配列した構成である。なお、１つの固定部３０１が備えるねじ孔３０２の数は３つに限られず、例えば２つ、あるいは、３つ以上の複数であってもよい。また、ねじ孔３０２間の間隔は、適宜変更して実施することができる。
【００１３】
サイドレール４０は、上下方向の寸法がフットボード３０と同等であり、フットボード３０およびヘッドボード２０に対して直角方向へ延びる矩形の細長い板状に形成されている。サイドレール４０は、ヘッドボード２０およびフットボード３０の左右方向の一端部、この場合、左端部に取り付けられ、ヘッドボード２０とフットボード３０とを繋いでいる。
【００１４】
サイドレール４０の長手方向の中間部分には、当該サイドレール４０と引き出しボックス５０との間を繋ぐように開き止め部材６０が設けられている。開き止め部材６０は、例えば金属製の線材で構成されており、サイドレール４０と引き出しボックス５０が離間することを規制している。サイドレール４０は、支持部４０１を有している。支持部４０１は、サイドレール４０の内側の面、つまりベッドフレーム１０の枠状の内側となる面に設けられている。支持部４０１は、角柱状であって、サイドレール４０の長手方向へ沿って設けられている。支持部４０１には、例えば簀子状の床板７０が載置される。そして、図示しないマットレスは、その床板７０の上に載置される。
【００１５】
また、サイドレール４０は、固定金具４０２を備えている。固定金具４０２は、サイドレール４０をヘッドボード２０およびフットボード３０に取り付けるためのものである。固定金具４０２は、例えば金属製の板を直角に曲げるようにして形成されており、サイドレール４０の内側面に固定される取付面部と、ヘッドボード２０あるいはフットボード３０の内側面に固定される取付面部と、を有する。
【００１６】
固定金具４０２は、例えば金属製のボルトなどで構成される固定部材８０が通される長穴部を有する。長穴部は、一方の端部、この場合、下端部が開放された長穴である。サイドレール４０は、ヘッドボード２０側の固定金具４０２の長孔部に通された固定部材８０がヘッドボード２０の固定部２０１の孔部２０２にねじ込まれることにより、ヘッドボード２０に固定される。また、サイドレール４０は、フットボード３０側の固定金具４０２の長孔部に通された固定部材８０がフットボード３０の固定部３０１の孔部３０２にねじ込まれることにより、フットボード３０に固定される。
【００１７】
引き出しボックス５０は、矩形箱状の引き出しボックス本体部５０１と、引き出し５０２と、を備える。この場合、引き出しボックス５０は、２つの引き出し５０２を備えている。但し、引き出し５０２の数は、例えば１つ、あるいは、２つ以上の複数など、適宜変更して実施することができる。引き出しボックス本体部５０１は、ヘッドボード２０とフットボード３０との間に取り付けられ、これらヘッドボード２０とフッドボード３０との間を繋ぐ。
【００１８】
図２に例示するように、引き出しボックス本体部５０１は、ヘッドボード２０とフッドボード３０との間に取り付けられた状態で外側となる部分に、矩形状の開口部５０３を有する。引き出し５０２は、引き出しボックス本体部５０１の開口部５０３に出し入れ可能に収容されている。この場合、引き出しボックス本体部５０１は、２つの開口部５０３を有しており、各開口部５０３に引き出し５０２が出し入れ可能に収容されている。引き出し５０２は、開口部５０３の内側面に設けられた図示しないスライドレールによって支持されており、これにより、開口部５０３から出し入れ可能となっている。
【００１９】
引き出しボックス本体部５０１は、ヘッドボード２０に対向する側面およびフットボード３０に対向する側面に固定部５０４を有する。固定部５０４は、それぞれ、複数の貫通孔５０５を有する。この場合、固定部５０４は、２つの貫通孔５０５を上下方向に直線状に配列した構成である。なお、１つの固定部５０４が備える貫通孔５０５の数は２つに限られず、例えば１つであってもよいし、２つ以上の複数であってもよい。また、貫通孔５０５間の間隔は、適宜変更して実施することができる。
【００２０】
引き出しボックス本体部５０１は、ヘッドボード２０およびフットボード３０に対し、次のようにして取り付けられる。即ち、引き出しボックス本体部５０１の開口部５０３の内側から、例えば金属製のボルトなどで構成される固定部材８０を固定部５０４の貫通孔５０５に通す。そして、その固定部材８０を、ヘッドボード２０側の固定部２０１のねじ孔２０２およびフットボード３０側の固定部３０１のねじ孔３０２にねじ込み締め付ける。これにより、引き出しボックス本体部５０１がヘッドボード２０およびフットボード３０に固定される。
【００２１】
この種の引き出しボックス５０を取り付ける場合、従来では、引き出しボックス本体部５０１の開口部５０３から引き出し５０２を完全に抜き取ってから、開口部５０３の内側からボルト８０を締め付けることで、引き出しボックス本体部５０１の固定を行っている。しかし、近年では、引き出し５０２をスライドさせるためのスライドレールの構造が複雑化しており、引き出しボックス本体部５０１の開口部５０３から引き出し５０２を取り外す作業の難易度が高くなっている。そこで、本実施形態に係るベッドフレーム１０では、引き出しボックス本体部５０１の開口部５０３から引き出し５０２を取り外さなくとも引き出しボックス５０の取り付け作業を行えるようにするための創意工夫が施されている。
【００２２】
即ち、図２に例示するように、引き出し５０２の側壁部５０６には、当該側壁部５０６の上面から下方に向かって切り欠かれた切欠き部５０７が設けられている。この切欠き部５０７には、キャップ部材５０８が着脱可能に取り付けられるようになっている。キャップ部材５０８は、例えば樹脂材料によって構成されるが、例えば金属材料や木材などといった他の材料により構成してもよい。
【００２３】
図３に例示するように、この場合、切欠き部５０７は、引き出し５０２の側壁部５０６の奥側寄りに設けられている。即ち、引き出し５０２のスライド方向Ｓにおいて、当該引き出し５０２を引き出す方向を手前側、当該引き出し５０２を収納する方向を奥側とすると、切欠き部５０７は、側壁部５０６の奥側の半部に含まれるように設けられている。
【００２４】
また、切欠き部５０７は、この場合、その下端部が円弧状となるように設けられている。また、切欠き部５０７の下方には、円形状の孔部５０９が設けられている。また、側壁部５０６の下部には、引き出し５０２の底板を支持するための支持溝５１０が設けられている。
【００２５】
例えば側壁部５０６の板厚Ｄ１が１２ｍｍほどである場合、切欠き部５０７は、幅Ｄ２を３５ｍｍほど、上下方向の長さＤ３を６０ｍｍほどの大きさとするとよい。また、切欠き部５０７は、側壁部５０６の奥側の端部からの距離Ｄ４が５０ｍｍほどとなる位置に設けるとよい。また、孔部５０９は、側壁部５０６の上面からの距離Ｄ５が６８ｍｍほどの位置に設けるとよい。また、孔部５０９の直径は、６ｍｍほどとするとよい。なお、この設計例は一例であり、各部の位置、寸法、形状などは、例えば側壁部５０６の板厚や引き出し５０２の大きさなどに応じて適宜変更して実施することができる。
【００２６】
図４に例示するように、キャップ部材５０８は、相互に対向する２枚の片部５１１および把持部５１２を備える。片部５１１は、切欠き部５０７の下端の形状に対応して、その端部が、この場合、円弧状となっている。また。片部５１１は、それぞれ内側に突起部５１３を有する。突起部５１３は、引き出し５０２の側壁部５０６の孔部５０９の形状に対応して、この場合、円形状に形成されている。突起部５１３は、内方、つまり他方の片部５１１に向かって突出している。この突起部５１３は、キャップ部材５０８が切欠き部５０７に取り付けられた際に孔部５０９に係止まる。このようにキャップ部材５０８の突起部５１３が側壁部５０６の孔部５０９に係止することにより、キャップ部材５０８が、例えば振動などによって容易に外れてしまうことが回避される。把持部５１２は、片部５１１の近傍において当該片部５１１よりも陥没した形状となっている。この場合、把持部５１２は、矩形状に窪んだ形状となっている。使用者は、この把持部５１２を持つことにより、キャップ部材５０８の着脱を容易に行うことができる。
【００２７】
側壁部５０６側における切欠き部５０７や孔部５０９の位置、寸法、形状などが上述した一設計例である場合、キャップ部材５０８は、上下方向の寸法Ｄ１０を７６ｍｍほど、幅寸法Ｄ１１を４１ｍｍほど、奥行きの寸法Ｄ１２を１５．５ｍｍほどとするとよい。また、２枚の片部５１１の内面間の寸法Ｄ１３を１２．５ｍｍほど、突起部５１３の突出量Ｄ１４を０．８ｍｍほど、把持部５１２の陥没量Ｄ１５を６．５ｍｍほどとするとよい。なお、この設計例はあくまでも一例であり、各部の位置、寸法、形状などは、例えば側壁部５０６の板厚、引き出し５０２の大きさ、切欠き部５０７の大きさ、形状、位置などに応じて適宜変更して実施することができる。
【００２８】
次に、上記構成のベッドフレーム１０における引き出しボックス５０の取り付け作業の一例を説明する。即ち、図５（ａ）に例示するように、まず、引き出し５０２を引き出しボックス本体部５０１の開口部５０３から引き出す。このとき、引き出し５０２を開口部５０３から完全に抜き出す必要はなく、引き出し５０２の切欠き部５０７が引き出しボックス本体部５０１の固定部５０４に対向する位置まで引き出し５０２を引き出す。そして、図５（ｂ）に例示するように、引き出し５０２の切欠き部５０７を通して、開口部５０３の内側から固定部材８０を固定部５０４の貫通孔５０５、さらにはフットボード３０の固定部３０１のねじ孔３０２に差し込む。
【００２９】
そして、図５（ｃ）に例示するように、例えばドライバーＴなどの工具を用いて固定部材８０を締め付ける。これにより、引き出しボックス本体部５０１がフットボード３０に固定される。そして、図５（ｄ）に例示するように、切欠き部５０７にキャップ部材５０８を取り付ける。なお、図示はしないが、ヘッドボード２０側においても、同様の作業行程により引き出しボックス本体部５０１がヘッドボード２０に固定される。また、ベッドフレーム１０を分解する場合には、上述した行程を逆に進めることにより、引き出し５０２を開口部５０３から完全に取り外さなくともベッドフレーム１０を分解することができる。
【００３０】
本実施形態に係るベッドフレーム１０によれば、引き出しボックス本体部５０１の開口部５０３から引き出し５０２を完全に取り外さなくとも、引き出し５０２の側壁部５０６に設けられた切欠き部５０７を通して、固定部材８０による引き出しボックス本体部５０１の固定、ひいては引き出しボックス５０の固定を行うことができる。即ち、引き出し５０２を取り外す作業を要することなく引き出しボックス５０を取り付けることができ、ひいては、ベッドフレーム１０を容易に組み立てることができる。
【００３１】
また、ベッドフレーム１０を分解する際には、引き出し５０２を取り外す作業を要することなく引き出しボックス５０を取り外すことができ、ひいては、ベッドフレーム１０を容易に分解することができる。
【００３２】
また、ベッドフレーム１０は、切欠き部５０７に着脱可能に取り付けられるキャップ部材５０８を備える。そのため、引き出しボックス５０を取り付けた後においては、切欠き部５０７をキャップ部材５０８で覆うことができ、見栄えを良くすることができる。また、引き出し５０２内の収納物が切欠き部５０７に引っ掛かるなどして切欠き部５０７が損傷したり、あるいは、収納物が損傷したりすることを回避できる。
【００３３】
また、キャップ部材５０８は、切欠き部５０７に取り付けられた状態で、切欠き部５０７の近傍に設けられている孔部５０９に係止する突起部５１３を有する。これにより、切欠き部５０７に対するキャップ部材５０８の固定が確実となり、キャップ部材５０８が意図せず外れてしまうことを回避することができる。また、突起部５１３を孔部５０９に単に係止させる構造、つまり強固に固定しない構造としたので、キャップ部材５０８の着脱を容易に行うことができる。
【００３４】
なお、本発明は、上述した実施形態に限定されるものではなく、その要旨を逸脱しない範囲で様々な拡張、変更が可能である。
固定部材８０は、金属製のボルトに限られるものではなく、例えば樹脂製や木製のボルトなどで構成してもよい。また、固定部材８０は、ボルトではなく、例えばピンなどといった締結用の部材で構成してもよい。
【００３５】
孔部５０９の形状は、円形状に限られるものではなく、例えば楕円形状や矩形状などといった他の形状であってもよい。また、キャップ部材５０８の突起部５１３の形状は、孔部５０９の形状に合わせて適宜変更して実施すればよい。また、孔部５０９の形状、位置、深さなどを調整することにより、また、その孔部５０９に対する突起部５１３の形状、突出量、位置などを適宜調整することにより、キャップ部材５０８の着脱のしやすさを調整することができる。
【００３６】
ベッドフレーム１０は、フットボード３０が備えられる手前側から見て右側にサイドレール４０を備え、左側に引き出しボックス５０を備える構成としてもよい。また、ベッドフレーム１０は、サイドレール４０に代えて引き出しボックス５０を備える構成としてもよい。即ち、ベッドフレーム１０は、左右両側に引き出しボックス５０を備えてもよい。
【００３７】
図６に例示するように、切欠き部５０７は、その下端部が矩形状であってもよい。また、図７に例示するように、切欠き部５０７は、その下端部が三角形状であってもよい。その他、図示はしないが、切欠き部５０７の形状は適宜変更して実施することができる。また、切欠き部５０７の形状に応じて、キャップ部材５０８の形状も適宜変更するとよい。
【００３８】
また、図８に例示するように、切欠き部５０７は、引き出し５０２の側壁部５０６の手前側寄りに設けてもよい。また、図９に例示するように、切欠き部５０７は、側壁部５０６のスライド方向Ｓ、換言すれば長手方向における中央部あるいは中央部付近に設けてもよい。その他、図示はしないが、切欠き部５０７の位置は適宜変更して実施することができる。
【符号の説明】
【００３９】
図面中、１０はベッドフレーム、２０はヘッドボード、３０はフットボード、８０は固定部材、５０１は引き出しボックス本体部、５０２は引き出し、５０３は開口部、５０６は引き出しの側壁部、５０７は切欠き部、５０８はキャップ部材、５０９は孔部、５１３は突起部を示す。
【要約】
【課題】引き出しを取り外す作業を要することなく引き出しボックスを取り付けることができ、容易に組み立てることができるベッドフレームを提供する。
【解決手段】本実施形態のベッドフレームは、ヘッドボードと、フットボードと、前記ヘッドボードと前記フットボードとの間に取り付けられるものであって開口部を有する引き出しボックス本体部と、前記開口部に出し入れ可能に収容される引き出しと、前記ヘッドボードおよび前記フットボードに対し前記引き出しボックス本体部を前記開口部の内側から固定する固定部材と、前記引き出しの側壁部の上面から下方に向かって切り欠かれた切欠き部と、を備える。
【選択図】図２【図１】
0005868540.tif 000002
【図２】
0005868540.tif 000003
【図３】
0005868540.tif 000004
【図４】
0005868540.tif 000005
【図５】
0005868540.tif 000006
【図６】
0005868540.tif 000007
【図７】
0005868540.tif 000008
【図８】
0005868540.tif 000009
【図９】
0005868540.tif 000010